(57)【要約】【課題】災害時等用の簡易トイレセットであって、簡便な構成で排泄物の後処理が容易にできる簡易トイレセットを提供する。【解決手段】排泄物を収容する袋３と、前記袋３内に投入されて排泄物を包み込むに足る量の処理剤４とを備えた簡易トイレセットにおいて、前記処理剤４がヒノキ粉末を含む。便器または便器に代わる容器に袋３を取り付けて、例えば、用便前に袋３内に処理剤４のほぼ半量を投入し、用便後に残りの処理剤４を投入した後、袋３を取り外して口を縛って廃棄する。【選択図】図１
2017038909.tif 000002
【特許請求の範囲】
【請求項１】
排泄物を収容する袋と、
前記袋内に投入されて排泄物を包み込むに足る量の処理剤とを備え、
前記処理剤がヒノキ粉末を含む、
簡易トイレセット。
【請求項２】
前記処理剤の概全量が、最大辺の大きさが１ｍｍ以下のヒノキ粉末である、請求項１に記載の簡易トイレセット。
【請求項３】
前記処理剤は、ヒノキ粉末と、当該処理剤の全体量に対して質量比で５０％以下の木屑とを含む、請求項１に記載の簡易トイレセット。
【請求項４】
前記袋が、半透明のポリエチレン袋である、請求項１〜３のいずれか一項に記載の簡易トイレセット。
【請求項５】
前記処理剤が、水解性の収容袋内に封入されている、請求項１〜４のいずれか一項に記載の簡易トイレセット。
【請求項６】
ペール缶と、
前記ペール缶の上部開口に嵌め込まれる便座とをさらに備え、
前記ペール缶の内部に、前記袋と、前記処理剤と、前記便座とが収納された、請求項１〜５のいずれか一項に記載の簡易トイレセット。
【発明の詳細な説明】
【技術分野】
【０００１】
本発明は、例えばドライブ、キャンプ、釣りなどのアウトドアの活動の際に、あるいは常設トイレが無い土木建築現場などにおいて、あるいはまた地震等の災害発生時に使用される簡易トイレセットに関するものである。
【背景技術】
【０００２】
一般に、例えばドライブ、キャンプ、釣りなどのアウトドアの活動の際、常設トイレが無い場所において、あるいは土木建築現場で常設トイレが設置されていない場所において、あるいはまた地震等の緊急災害発生時においては、簡易トイレで用便をすることが必要となる。
【０００３】
こういった簡易トイレにおいては、水の供給が得られないので、排泄物の処理が問題となる。このため、たとえば、簡易トイレに処理袋をセットし、処理袋内で吸水性樹脂や凝固剤を用いて排泄物を固めることが、従来提案されている。
【０００４】
たとえば、下記の特許文献１には、排泄物が排泄の度に密封パッケージされるようにしたトイレ装置が開示されている。このトイレ装置では、排泄物の水分を吸収して半ば凝固状態にする処理剤をパッケージに供給し、排泄物の水分を処理剤に吸収させてからパッケージを密封するようになっている。
【先行技術文献】
【特許文献】
【０００５】
【特許文献１】特開２００６−１４１７９０号公報
【発明の概要】
【発明が解決しようとする課題】
【０００６】
排泄物をパッケージ化して処理する場合、排泄物の水分や臭気が漏れないようにすることが肝要である。一方で、地震等の災害時にも使用される簡易トイレは、平常時の保管や、災害時の持ち運び等を考慮すると、できるだけ簡便な構造であることが望ましい。
【０００７】
本発明は、これらの課題を鑑み、簡便な構成で排泄物の後処理が容易にできる簡易トイレセットを提供することを目的とする。
【課題を解決するための手段】
【０００８】
上記の目的を達成するために、本発明にかかる簡易トイレセットは、排泄物を収容する袋と、前記袋内に投入されて排泄物を包み込むに足る量の処理剤とを備え、前記処理剤がヒノキ粉末を含むことを特徴とする。
【発明の効果】
【０００９】
上記の構成にかかる本発明の簡易トイレセットは、便器または便器代わりになる容器に、排泄物を収容する袋をセットし、その中へ用を足した後、排泄物を包み込むに足る量の処理剤を投入することによって使用される。この処理剤は、ヒノキ粉末を含むことが特徴である。ヒノキ粉末を含むことにより、ヒノキチオールの殺菌・消臭効果によって、排泄物からの雑菌や臭気を抑えつつ、排泄物を簡便に処理することができる。また、ヒノキ粉末を含む処理剤が、排泄物を袋内で包み込むことにより、排泄物からの雑菌や臭気漏れをより効果的に抑制することができる。さらに、木質ペレット等の大粒の処理剤を使用する場合に比較して、ヒノキ粉末を含む処理剤は、吸水性に優れ、かつ、排泄物（大便）の表面をむらなく覆って包み込むことができるので、袋の外側から排泄物そのものが見えることを防止できるという効果もある。
【図面の簡単な説明】
【００１０】
【図１】本発明の一実施形態にかかる簡易トイレセットの主要な構成部材を示す図である。
【図２】ペール缶に便座とポリ袋を取り付ける態様の一例を示す斜視図である。
【図３】ペール缶に便座とポリ袋を取り付ける態様の他の例を示す斜視図である。
【図４】図２の態様でペール缶に取り付けたポリ袋内に、処理剤の半量が投入された状態を示す平面図である。
【図５】用便後にポリ袋を処理する状態を示す模式図である。
【図６】本発明の実施形態の変形例として、一般の便器を利用した簡易トイレセットの使用態様を示す斜視図である。
【図７】図７は、本実施形態にかかる処理剤パック３０の外観を示す平面図である。
【図８】図８は、図７のＡ−Ａ線断面図である。
【発明を実施するための形態】
【００１１】
本発明にかかる簡易トイレセットは、排泄物を収容する袋と、前記袋内に投入されて排泄物を包み込むに足る量の処理剤とを備え、前記処理剤がヒノキ粉末を含む構成である。
【００１２】
前記処理剤の概全量が、最大辺の大きさが１ｍｍ以下のヒノキ粉末であることが好ましい。つまり、処理剤としてのヒノキ粉末は、例えばヒノキの廃材等を粉砕して製造されるが、製造時に粒径の制御を精密に行うことは現実的ではない。したがって、ふるい分け等にかけた場合に、ほぼ全量が、最大辺の大きさが１ｍｍ以下のヒノキ粉末からなっておれば良く、それよりも大きい粒が多少混じっていても良い。
【００１３】
あるいは、前記処理剤は、ヒノキ粉末と、当該処理剤の全体量に対して質量比で５０％以下の木屑とを含む態様であっても良い。この場合も、ヒノキ粉末は、最大辺の大きさが１ｍｍ以下の粉末であることが望ましい。
【００１４】
前記袋は、半透明のポリエチレン袋であることが好ましい。自治体指定のゴミ収集袋は一般的に半透明であることが多く、この指定に合致していれば、可燃ゴミとして収集・処理されるからである。
【００１５】
前記処理剤が、水解性の収容袋内に封入されていることも好ましい。収容袋ごと処理剤を投入することができるので、作業性が向上し、処理剤が飛び散ったりすることもないといった利点がある。
【００１６】
また、本発明にかかる簡易トイレセットは、ペール缶と、前記ペール缶の上部開口に嵌め込まれる便座とをさらに備え、前記ペール缶の内部に、前記袋と、前記処理剤と、前記便座とが収納された構成とすることも好ましい。
【００１７】
このように、ペール缶内に便座と袋と処理剤を収納したセット構成とすることにより、ペール缶に便座をセットして簡易便器として使用することができ、かつ、未使用時の保管や避難時等の持ち運びも容易である、という利点がある。
【００１８】
［第１の実施形態］
以下、図面を参照しながら、本発明の一実施形態を詳しく説明する。図中同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００１９】
［簡易トイレセットの主要な構成部材］
図１に、この実施形態における簡易トイレセットの主要な構成部材を示す。
【００２０】
図１に示す簡易トイレセットは、ペール缶１と、便座２と、ポリ袋（ポリエチレン製またはポリプロピレン製の袋）３と、処理剤４とを主要な構成部材とする。ペール缶１は、蓋１１と把手１２とを有し、便座２、ポリ袋３、処理剤４とを内部に収容する。なお、図１においては、ポリ袋３は折り畳まれた状態を図示している。また、図１では、ポリ袋３と処理剤４とを１セットのみ図示しているが、実際には、複数セットのポリ袋３と処理剤４とがペール缶１に収容される。
【００２１】
ペール缶１の中には、これらの部材の他に、例えばドライブ、キャンプ、釣りなどのアウトドアの活動の際には、それに必要な物品をあわせて収納しても良い。また、地震等の災害発生時に備える場合には、トイレットペーパー、女性用生理用品、ポンチョ、飲料水、食料等の非常時用品を収納しておくことができる。
【００２２】
ペール缶１は、把手１２を持つことによって簡単に携行することができる。また、ペール缶１は、蓋１１を閉じれば、複数を積み重ねることができ、場所をとらずに保管することができる。あるいは、蓋１１を閉じた状態で、イス、植木台、または踏み台等として利用することもできる。
【００２３】
便座２は、図２または図３に示すように、ペール缶１の開口上端部に取り付けて固定される。便座２は、一対の合成樹脂製の便座右半体２１および左半体２２を備えている。図示を省略するが、便座右半体２１および左半体２２の着座面の裏側には、ペール缶１の開口上端部に嵌合して固定される機構が設けられている。便座２の便座右半体２１および左半体２２は、蝶番状の連結部材２３で接続されている。これにより、便座２は、連結部材２３を中心として、便座右半体２１および左半体２２が重なるように二つに折り畳めるので、ペール缶１にコンパクトに収納することができる。ただし、便座２はこのような折り畳み可能な形状に限定されず、Ｕ字状またはＯ字状の便座であっても良い。あるいは、左右別個に形成された２つのパーツからなる便座であっても良い。
【００２４】
処理剤４として最も好適に用いられるのは、ヒノキの粉末である。処理剤４としてのヒノキの粉末は、１回分ずつ小分けして袋に包装されている。この袋は、使い捨ての袋でも良いし、例えばジッパー付きの袋でも良く、処理剤４を散逸したり吸湿したりすることなく収容しておけることを条件として、任意の袋を用いることができる。１回分として、約１００ｇのヒノキ粉末が使用される。約１００ｇのヒノキ粉末で、５００ｍＬ程度の尿を十分に吸収することができる。また、大便の場合は、約１００ｇのヒノキ粉末により、便全体を粉末が包み込んで、ポリ袋の外から見たときに便そのものが見えない状態とすることができる。なお、ここでは、１回分として約１００ｇのヒノキ粉末を使用する例を示すが、処理剤４として個別包装されるヒノキ粉末の量は１００ｇに限定されず、必要に応じて、これよりも少なくても良いし、多くても良い。
【００２５】
ヒノキ粉末は、廃材等を粉砕して製造することができる。粉末は不定形で良いが、外形の最も長い辺の長さが１ｍｍ以下であることが望ましい。ただし、粉末全体として粒の大きさが均一である必要はなく、粒の大きいもの（外形の最も長い辺の長さが１ｍｍよりも大きい粒）が多少混じっていても差し支えない。
【００２６】
また、処理剤４として、ヒノキの粉末と木屑との混合物を用いることもできる。木屑は、ヒノキの木屑であることが好ましいが、他の木材の木屑であっても良い。粉末と木屑との混合比は任意であるが、粉末の含有率が、質量比で全体の５０％以上であることが好ましい。粉末の比率が高い方が、吸水性に優れ、使用前および使用後の容積が嵩張らず、また、排泄物の表面を全体的にむらなく覆い隠せる、という利点があるからである。例えば、ヒノキの粉末５０ｇとヒノキの木屑５０ｇとの混合物を用いることができる。
【００２７】
ポリ袋３は、各自治体の指定または推奨のゴミ収集用袋であることが望ましく、一般的には、半透明のポリエチレン製であるが、これに限らない。容積は、例えば４５Ｌ（リットル）程度が好ましいが、これに限らない。
【００２８】
ここで、図２および図３を参照しながら、ポリ袋３の二通りの使用態様について説明する。図２の使用態様は、ペール缶１に便座２を取り付けた後、ペール缶１の内部にポリ袋３の本体部が位置するようにポリ袋３をセットし、ポリ袋３の開口部側を、便座２の着座面全体を覆うように被せた状態である。一方、図３の使用態様は、ペール缶１の内部にポリ袋３の本体部が位置するようにポリ袋３をセットし、ポリ袋３の開口部側を、ペール缶１の開口上端部を覆うように被せた後に、その上から便座２を嵌め込んだ状態である。
【００２９】
図２の使用態様によれば、便座２の全体がポリ袋３で覆われているので、着座面の汚れを防止することができる。人によっては、他人が使用した便座に座ることを嫌うこともあるので、この使用態様は、そういった人に適している。その逆に、ポリ袋の上に座る感触を嫌う人もいるので、その場合には、図３の使用態様の方が適している。
【００３０】
この簡易トイレセットを使用する場合には、図２または図３に示した態様で便座２とポリ袋３とをペール缶１にセットした後、処理剤４の袋をあけて、その半量をペール缶１内のポリ袋３に入れる。この状態を、図４に示す。図４は、図２の態様でペール缶１にセットしたポリ袋３内に、処理剤４の半量が投入された状態を示す平面図である。この状態で、使用者は着座してポリ袋３内に用を足す。用便後、ポリ袋３内の排泄物に処理剤４の残りの半量を振りかけて、排泄物が処理剤４で覆われるようにする。前述のとおり、ヒノキの粉末を、使用前に約５０ｇ、使用後に約５０ｇの合計で約１００ｇ使用することにより、大便の全体がヒノキの粉末で覆われた状態とすることができる。すなわち、用便前にポリ袋３にヒノキの粉末を約５０ｇ入れておくことにより、ポリ袋３の底部側で排泄物が露出することがなく、また、用便後に約５０ｇのヒノキ粉末を追加で投入することにより、ポリ袋３の側面や上側で排泄物が露出することもない。
【００３１】
その後、ポリ袋３をペール缶１から取り外して、図５に示すように、ポリ袋３の口を縛ってから、可燃ゴミとして廃棄することができる。あるいは、耕作地がある場合には、肥料として使用することもできる。なお、図５に示すように、排泄物９（大便）は、ポリ袋３内で処理剤４（ヒノキ粉末）によって完全に覆われており、外から見えない。
【００３２】
従来、簡易トイレにおいて、排泄物の水分を吸収するための処理剤として、吸水性ポリマーや木質ペレット等が一般的に用いられている。しかし、吸水性ポリマーは、水分を吸収して排泄物を凝固させることを目的として利用されるが、その使用量は一般的に極めて少量（５〜１０ｇ程度）であるので、排泄物表面を覆い隠すという作用はない。また、木質ペレットは、粒子が大きいので排泄物表面の全体を覆うことができず、ところどころで排泄物が露出した状態となる。すなわち、いずれの場合においても、吸水性ポリマーや木質ペレット等の従来の処理剤では、たとえ水分を吸収する機能が十分であったとしても、排泄物の表面を完全に覆い隠すことができず、ポリ袋が透明または半透明である場合に、ポリ袋の外側から排泄物が見えてしまうという不都合があった。これに対して、本発明の処理剤４は、細かい粉末状であるので、排泄物の表面全体をむらなく覆い隠すことができる。これにより、ポリ袋が透明または半透明の袋であっても、廃棄時に排泄物そのものが見えることがないという利点がある。従来は、排泄物が見えないようにするために黒いポリ袋を使用していたが、自治体のゴミ収集ルールで半透明のポリ袋を使用することが義務づけられている場合、黒いポリ袋は使用できない。しかし、本発明によれば、排泄物が処理剤で完全に覆われるので、自治体指定の半透明のポリ袋を使用しても外観上の問題がない。
【００３３】
また、処理剤４の材料としてヒノキの粉末を利用することにより、ヒノキに含まれるヒノキチオールの作用によって、消臭や殺菌効果が得られるという優れた効果もある。排泄物には多くの雑菌が含まれているが、ヒノキの粉末で完全に包み込んでしまうことにより、ヒノキチオールの殺菌作用によって、雑菌の散乱を防ぐことができる。また、排泄物を直接ポリ袋に入れた場合は、ポリ袋の口を堅く縛ったとしても、ポリ袋の外側に水分や臭気が漏れてしまうが、ヒノキ粉末で包み込むことにより、これを防止することができる。実際に、約１００ｇのヒノキ粉末を用いて試験を行ったところ、ポリ袋の外側にハエがたからない、という現象が確認された。
【００３４】
ここで、本発明の処理剤４を用いて吸水試験を行った結果を、いくつかの比較例と共に示す。
＜試験用サンプル＞
［実施例１］
本発明の処理剤４の一実施例として、ヒノキ粉末を１００ｇ用意した。このヒノキ粉末は、不定形の粉体であるが、最も大きい辺の長さが１ｍｍ以下であった。
【００３５】
［実施例２］
本発明の処理剤４の他の実施例として、ヒノキ粉末を５０ｇとヒノキの木屑５０ｇとの混合物を用意した。ヒノキ粉末は、実施例１と同様に、不定形の粉体であるが、最も大きい辺の長さが１ｍｍ以下であった。ヒノキの木屑は、長さが３ｍｍ以下の薄いチップ状に細断されたものである。
【００３６】
［比較例１］
本発明との一比較例にかかる処理剤として、ヒノキの木屑を１００ｇ用意した。ヒノキの木屑は、長さが３ｍｍ以下の薄いチップ状に細断されたものである。
【００３７】
［比較例２］
本発明との他の比較例にかかる処理剤として、木質ペレットを１００ｇ用意した。ペレットは円柱形で、直径が約５ｍｍ、長さが約１０ｍｍであった。ただし、半量程度が割れていた。
【００３８】
［比較例３］
本発明とのさらに他の比較例にかかる処理剤として、他社（仮にＡ社と称する）より市販されている簡易トイレ用の凝固剤を用意した。この凝固剤は、吸水性ポリマーを主成分とし、７ｇずつ個包装されている。
【００３９】
［比較例４］
本発明とのさらに他の比較例にかかる処理剤として、他社（仮にＢ社と称する）より市販されている簡易トイレ用の凝固剤を用意した。この凝固剤も、吸水性ポリマーを主成分とし、７ｇずつ個包装されている。
＜試験方法＞
上記の実施例１，２および比較例１〜４の処理剤のそれぞれを、横１８０ｍｍ、縦２７０ｍｍのポリ袋に入れ、５００ｍＬの水を注入し、水分が処理剤に完全に吸収されるまでの時間を測定した。
＜試験結果＞
［実施例１］
実施例１のヒノキ粉末は、５００ｍＬの水を約３０秒で完全に吸収した。
【００４０】
［実施例２］
実施例２のヒノキ粉末と木屑の混合物は、５００ｍＬの水を約５０秒〜６０秒で完全に吸収した。
【００４１】
［比較例１］
比較例１のヒノキ木屑は、５００ｍＬの水を約１分３０秒で完全に吸収した。
【００４２】
［比較例２］
比較例２の木質ペレットは、５００ｍＬの水をほぼ吸収するのに約１０分を要した。また、吸収しきれなかった若干量の水分がポリ袋内に存在することが認められた。
【００４３】
［比較例３］
比較例３のＡ社の凝固剤は、５００ｍＬの水を約３０秒でゼリー状に凝固させた。
【００４４】
［比較例４］
比較例４のＢ社の凝固剤も、５００ｍＬの水を約３０秒でゼリー状に凝固させた。
＜試験結果の考察＞
以上の試験結果を踏まえて考察すると、以下のとおりである。
【００４５】
実施例１，２の処理剤は共に、水分吸収率および吸収スピードにおいて優れている。また、１００ｇ程度の少量で５００ｍＬの水を吸収することができるので、簡易トイレ用の処理剤として適している。また、実施例１，２共に、大便を処理する場合にも、十分な吸水率を有し、かつ、前述したように、ヒノキ粉末が大便全体を包み込んでポリ袋の外から見えなくする、という優れた効果がある。
【００４６】
比較例１の処理剤も、水分吸収率および吸収スピードにおいては比較的優れた結果を呈しているが、実施例１，２と比較すると、使用前の容積および吸水後の容積が大きい。すなわち、簡易トイレセットの構成部材としてペール缶１内に収容する場合には、処理剤のパッケージはできるだけ容積が小さい方が良く、また、使用後に廃棄する際にも廃棄物の容積は小さい方が良い。その点において、比較例１の処理剤よりも、実施例１，２の処理剤の方が優れている。
【００４７】
比較例２の処理剤は、実施例１，２と比較して吸収スピードが遅く、吸収率においても劣る。したがって、用便後にポリ袋の口を縛る際や廃棄場所へ持ち運ぶ際等に水分が漏れるおそれがある。また、実施例１，２のヒノキ粉末に比較して大粒のペレットなので、大便の場合には、前述のように、便全体を覆い隠すことができず、ポリ袋の外から便が見えてしまうという不都合がある。
【００４８】
比較例３，４の処理剤は、実施例１，２と同等かそれ以上の吸水性能を有するが、約７ｇと少量であり、かつ、吸水するとほぼ無色透明なゲル状になるので、大便の場合には、便を覆い隠すことができず、ポリ袋の外から便が見えてしまって不快であるという不都合がある。
【００４９】
以上の結果を総合的に考慮すると、ヒノキ粉末、または、ヒノキ粉末と木屑との混合物、を処理剤４として使用することにより、排泄物の水分を残さず素早く吸収し、かつ、大便の場合には全体を粉末が覆ってポリ袋の外から見えなくすることができる。
【００５０】
なお、処理剤４として実施例１のようにヒノキ粉末１００ｇを用いる場合は、たとえば横１２０ｍｍ、縦１７０ｍｍ程度の小袋にこれを封入することができ、あまり嵩張ることなく、ペール缶１の中に必要数を収容しておくことができる。また、実施例２のようにヒノキ粉末５０ｇと木屑５０ｇとの混合物を用いる場合も、実施例１よりは嵩高くなるが、ほぼ許容範囲である。したがって、処理剤４としては、ヒノキの粉末、または、ヒノキの粉末に対して全体量の半量以下の木屑を混ぜたもの、を用いることが好ましい。
【００５１】
［変形例］
以上、本発明の実施形態を説明したが、上述した実施形態は本発明を実施するための例示に過ぎない。よって、本発明は上述した実施形態に限定されることなく、その趣旨を逸脱しない範囲内で上述した実施形態を適宜変形して実施することが可能である。
【００５２】
たとえば、上述の実施形態においては、ペール缶１に便座２とポリ袋３をセットして簡易トイレとして使用する例を説明したが、一般の便器や、病院や介護施設等で使用されるポータブル便器等を利用できる環境であれば、ペール缶１と便座２は不要である。すなわち、本発明にかかる簡易トイレセットは、ポリ袋３と処理剤４のみを最小構成部材とする、非常に簡便なセットである。
【００５３】
例えば、図６に示すように、一般の洋式便器７の便座７１の着座面を覆うようにポリ袋３をセットして便座を下ろし、ポリ袋３内に処理剤４の半量を投入して用便をし、前述のように、処理剤４の残りの半量を投入してからポリ袋３を取り外して廃棄することも可能である。このような使用形態は、便器は使用可能であるが、災害後等で断水状態の場合等に有用である。なお、図６に示した例では、洋式便器７の便座７１の上からポリ袋３をセットしているが、便座７１を上げて便器ボウルにポリ袋３をセットし、便座７１を下ろしてから着座して用便するようにしても良い。すなわち、図６に示した使用例は、便座７１の着座面をポリ袋３が覆っているので、他人が使用した後の便座に座ることに抵抗がある場合に適している。一方で、便座７１を上げて便器ボウルにポリ袋３をセットする使用態様は、通常に便座７１に座る方を好む人に適している。
【００５４】
また、上記の説明においては、用便前に処理剤４の半量をポリ袋３に投入し、用便後に残りの半量をポリ袋３に追加投入する使用例を説明した。このように用便前と用便後に半量ずつ処理剤４を投入することによって、特に大便の場合に、全体を処理剤４でまんべんなく覆うことができるからである。しかしながら、用便前または用便後に処理剤４の全量を投入して使用することも、不可能ではない。
【００５５】
［第２の実施形態］
以下、図面を参照しながら、本発明の他の実施形態を説明する。
【００５６】
第１の実施形態では、処理剤が袋に個別包装されており、使用時には、使用者が袋を開けて処理剤を便器内に投入するものであった。これに対して、第２の実施形態では、処理剤が水解性（水分に触れると分解する性質）を持つ袋に収容されており、使用時には、処理剤をこの収容袋のままで便器内へ投入することができる。
【００５７】
図７は、本実施形態にかかる処理剤パック３０の外観を示す平面図である。図８は、図７のＡ−Ａ線断面図である。図７および図８に示すように、処理剤パック３０は、水解性の袋３１の中に処理剤４を封入した構成である。
【００５８】
袋３１を構成する水解性の材料としては、例えばトイレットペーパー等に用いられる紙を利用できる。このような紙を糊等で貼り合わせて袋状にし、処理剤４を入れてから袋の口を糊付け等で封止することによって、処理剤パック３０を形成することができる。なお、図７に示した例では、袋３１の口部分３２を折り返してから封止しているが、処理剤４が漏れないように封止できるのであれば、このような折り返し部分を作らなくても良い。
【００５９】
使用する際には、第１の実施形態において説明したように、まず、ペール缶１に便座２とポリ袋３をセットし（あるいは、一般の洋式便器７に便座７１にポリ袋３をセットし）、ポリ袋３内に処理剤パック３０を一つ投入する。あるいは、簡易トイレセットのポリ袋３内に処理剤パック３０をあらかじめ入れておいても良い。
【００６０】
そして、用を足した後、処理剤パック３０を排泄物の上にかぶせるようにもう一つ投入する。ここで、最初に投入した処理剤パック３０と後から投入した処理剤パック３０は、共に、排泄物に含まれる水分によって袋３１が破れる。これにより、中の処理剤４が排泄物を包み込み、排泄物の水分を残さず素早く吸収する。また、大便の場合には全体を粉末が覆ってポリ袋の外から見えなくすることができる。
【００６１】
あるいは、簡易トイレセットのポリ袋３内には粉末状の処理剤４をそのまま入れておき、処理剤４入りのポリ袋３をセットして用を足し、その後に処理剤パック３０を投入するようにしても良い。
【００６２】
なお、第１の実施形態と比較して、処理剤パック３０として構成する本実施形態の場合、処理剤４の粒径が小さくても良いという利点がある。すなわち、例えば、処理剤４としてヒノキ粉末を用いる場合、第１の実施形態であれば、粉末の粒径が小さすぎて例えばパウダー状になると、周囲に飛び散りやすいという問題が生じる。しかし、本実施形態では、処理剤パック３０内に処理剤４が封入されているので、処理剤が飛散するという問題は全く生じない。
【００６３】
また、使用者が袋を開けて処理剤を投入する場合に比べて、本実施形態では、処理剤パック３０をそのまま便器内へ投入すれば良いので作業性が良く、さらに処理剤用の袋がゴミになるという問題もない、といった利点もある。
【００６４】
また、粉末の処理剤の袋を、内容物をこぼさないように開けたり、周りにこぼさないように便器内に粉末を投入したりするといった動作は、要介護者にとっては難しい場合があるが、本実施形態によれば、そのような動作が必要ないので、要介護者が自分で排泄物の後始末をすることができるという利点もある。例えば、便座へのポリ袋３のセットは介護者が行い、要介護者が用を足した後に自分で処理剤パック３０を投入し、ポリ袋３の始末は介護者が行う、という処理の仕方も可能となる。これにより、排泄物が介護者の目に触れることなく、処理をすることができるので、介護者と要介護者の両者にとって快適な簡易トイレセットとなる。
【００６５】
処理剤パック３０内の処理剤４の量は任意であり、使用態様によって適当な容量の処理剤パック３０を提供すれば良い。例えば、上述したように１回の排泄物処理に２個の処理剤パック３０を使用する場合は、１個あたりの処理剤４の量を、３０ｇ〜５０ｇ程度とすることが考えられる。また、ポリ袋３にあらかじめ粉末の処理剤４を入れておく場合には、その粉末の処理剤４の量と、排泄後に投入する処理剤パック３０の処理剤４の量の合計が、６０ｇ〜１００ｇ程度となるようにすれば良い。
【００６６】
以上の実施形態においては、処理剤としてヒノキ粉末を利用する例を説明したが、処理剤の全量がヒノキ粉末でなくても良い。すなわち、処理剤には、ヒノキ粉末以外の材料が混合されていても良い。例えば、杉や樫等の他の木材の粉末が含まれていても良い。
【符号の説明】
【００６７】
１：ペール缶、２：便座、２１：便座右半体、２２：便座左半体、３：ポリ袋、４：処理剤、７：洋式便器、７１：便座
【図１】
2017038909.tif 000003
【図２】
2017038909.tif 000004
【図３】
2017038909.tif 000005
【図４】
2017038909.tif 000006
【図５】
2017038909.tif 000007
【図６】
2017038909.tif 000008
【図７】
2017038909.tif 000009
【図８】
2017038909.tif 000010